(57)【要約】【課題】木目込みを施した木目込み飾りまり及びその製造方法を提供する。【解決手段】木材又は桐塑により球状に成形された芯材２の表面に図柄を形成する溝３を設け、該溝３に布地４又は糸５を木目込んで製作する。【選択図】図１
2008012886.tif 000002
【特許請求の範囲】
【請求項１】
木材又は桐塑により球状に成形された芯材の表面に図柄を形成する溝を設け、該溝に布地又は糸を木目込んで形成されることを特徴とする木目込み飾りまり。
【請求項２】
敷物の上に載置されることを特徴とする請求項１に記載の木目込み飾りまり。
【請求項３】
球状の芯材を形成する芯材形成工程と、
前記芯材の表面に溝を彫り、模様を付す溝形成工程と、
前記溝に接着剤を塗布し、布地又は糸を接着して前記芯材の表面を覆う木目込み工程とを有することを特徴とする木目込み飾りまりの製造方法。
【請求項４】
前記芯材が、半球状の部材を接合して形成されることを特徴とする請求項３に記載の木目込み飾りまりの製造方法。
【発明の詳細な説明】
【技術分野】
【０００１】
本発明は、木目込み飾りまり及びその製造方法に関するものである。
【背景技術】
【０００２】
従来から、木質材料の平板にカッターで木目込み線を穿設し、そこに布地を木目込んだ装飾平板や、雛屏風付き平飾台に男女一対の木目込み親王雛を並行に配置して飾り付けた木目込み親王雛飾りセットが知られている（例えば、特許文献１、特許文献２参照）。
【特許文献１】特開２０００−４３４９６号公報
【特許文献２】実用新案登録第３０８４４１２号公報
【発明の開示】
【発明が解決しようとする課題】
【０００３】
ところで、従来は平板や人形に木目込みを施したものが知られているだけであり、近年の嗜好の変化やニーズの多様化に対して十分に満足できるものではなかった。
【０００４】
そこで、本発明は、上記事情を鑑みてなされたものであり、木目込みを施した木目込み飾りまり及びその製造方法を提供するものである。
【課題を解決するための手段】
【０００５】
上記の課題を解決するために、請求項１に記載した発明は、木材又は桐塑により球状に成形された芯材の表面に図柄を形成する溝を設け、該溝に布地又は糸を木目込んで形成されることを特徴とする。
このように構成することで、球状の芯材に木目込みを行うことができる。
【０００６】
請求項２に記載した発明は、敷物の上に載置されることを特徴とする。
このように構成することで、観賞用として見栄えが向上するとともに、球状の飾りまりの転がりを防止することができる。
【０００７】
請求項３に記載した発明は、球状の芯材を形成する芯材形成工程と、前記芯材の表面に溝を彫り、模様を付す溝形成工程と、前記溝に接着剤を塗布し、布地又は糸を接着して前記芯材表面を覆う木目込み工程とを有することを特徴とする。
このように構成することで、球状の芯材に木目込みを行うことができる。
【０００８】
請求項４に記載した発明は、前記芯材が、半球状の部材を接合して形成されることを特徴とする。
このように構成することで、芯材を中空形状にすることができる。
【発明の効果】
【０００９】
請求項１及び３に記載した発明によれば、球状の芯材に木目込みを行うことができるため、木目込み飾りまりを製造することができる効果がある。
【００１０】
請求項２に記載した発明によれば、観賞用として見栄えが向上するため、製品の価値を向上することができる効果がある。また、球状の飾りまりの転がりを防止することができるため、破損や汚損を防ぐことができる効果がある。
【００１１】
請求項４に記載した発明によれば、芯材を中空形状にすることができるため、軽量化することができるとともに、乾燥時間を短縮することができ、芯材のゆがみを少なくすることができる効果がある。
【発明を実施するための最良の形態】
【００１２】
次に、この発明の実施の形態を図１〜図３に基づいて説明する。
図１、図２に示すように、木目込み飾りまり１は、木材又は桐塑からなる球状の芯材２と、芯材２の表面にカッターやノミを使用して形成した溝３と、溝３に接着剤を塗布し、芯材２の表面に貼り付ける布地４又は糸５とから構成されている。
ここで桐塑とは、桐の木を粉状にしたものと、小麦を原料とした正麩糊とを混ぜ合わせて粘土状にしたものである。
また芯材２は、半球状の部材６、７を接合して構成されており、半球状の部材６、７は中空形状に形成されている。
更に、溝３は、例えば、干支の動物や季節の行事などをイメージしたデザインが施されている。本実施形態では、芯材２の外表面に、芯材２の赤道にあたる赤道線１１と、赤道線１１に直交し、球を六等分する三本の経度線１２との溝３が形成されている。そして、赤道線１１を略中心にして松竹梅の図柄１３の溝３が、赤道線１１及び経度線１２と重なるように形成されている。
【００１３】
次に、木目込み飾りまり１の製造方法について説明する。
まず、木材又は桐塑を加工して半球状の部材６、７を製作する。桐塑を用いる場合には、桐の屑と正麩糊とを混ぜ、粘土状にした状態で、半球状の鋳型に桐塑を投入して外形が鋳型形状になるように桐塑を鋳型に押し当てて固めることで半球状の部材６、７を製作する。半球状の部材６、７は、中空形状に形成する。この状態でしばらく保持し、半球状の部材６、７を乾燥させる。乾燥した段階で、半球状の部材６、７を鋳型から取り外す。
【００１４】
次に、半球状の部材６、７の端部８同士を接着剤により接合して、球状の芯材２を形成する（芯材形成工程）。芯材２の大きさは特に拘らないが、直径１５ｃｍ程度の大きさが望ましい。
半球状の部材６と半球状の部材７との接合部をヤスリなどで凹凸が無くなるようにした後、芯材２の表面にカッターや彫刻刀などを使用して上述したデザインに合わせた溝３を彫る（溝形成工程）。溝３の幅は、１．５ｍｍ程度あれば良く、深さは、３ｍｍ程度あれば良い。
【００１５】
次に、溝３に接着剤を塗布し、デザインに合わせた布地４を溝３に押し込むようにして貼り付ける（木目込み工程）。布地４は、色や素材を使い分けて、デザインの主旨に合ったものを採用する。また、布地４は、端部を溝３に押し込むため、芯材２の表面に形成される面積よりも若干大きめのサイズに切り取り、溝３に押し込むようにする。
【００１６】
布地４を貼り付けた後に、糸５を必要に応じて溝３に押し込むように貼り付ける（木目込み工程）。糸５によりデザインをより詳細に表現することができるとともに、デザインのアクセントにもなる。糸５も、色や素材を使い分けて、デザインの主旨に合ったものを採用する。
上記の木目込み工程を繰り返して、芯材２の表面を全面布地４又は糸５で覆うと木目込み飾りまり１が完成する。
【００１７】
本実施形態によれば、木目込みを施した球状の木目込み飾りまり１を製造することができる。
この木目込みの製法を用いたものは、立体感を創出することができるとともに、表面が布地４で形成されているため、温かみを感じることができる飾りまりになる。
また、この木目込み飾りまり１は、干支の動物やお正月、バレンタインデー、及びクリスマスといった季節の行事などをイメージしたデザインだけでなく、誕生日、日本の風物詩及び名所などをイメージしたデザインなど、様々な目的に応じたものを製作することができる。したがって、木目込み飾りまり１は、木目込み節句人形よりも使用時期を限定されることなく製作可能であるとともに、使用目的を拡げることができる。
【００１８】
また、本実施形態では、半球状の部材６、７を中空形状にしているため、芯材２を軽量化することができる。また、芯材２を中空形状にすることで、特に桐塑を用いた場合の乾燥時間を短縮することができ、更に芯材２のゆがみを少なくすることができる。
【００１９】
更に、図３に示すように、この木目込み飾りまり１を布製の座布団のような敷物９の上に載置すると、和風の雰囲気が一層増し、見栄えが向上するとともに、球状の木目込み飾りまり１が自然に転がることがなくなり、破損や汚損を防ぐことができるため効果的である。
【００２０】
尚、本発明は上述した実施の形態に限られるものではなく、以下の態様を採用してもよい。
本実施形態では、芯材の表面全面を布地で覆う説明をしたが、デザインによっては一部芯材を露出するようにしても良い。
本実施形態では、中空の半球状の部材を用いて芯材を作る説明をしたが、中実形状でも良いし、芯材は半球状の部材を接合せずに、当初から球状に形成した芯材を用いても良い。
本実施形態では、布製の座布団のような敷物の上に載置する説明をしたが、敷物は機能を満たせば特に材質には拘らない。  
【図面の簡単な説明】
【００２１】
【図１】本発明の実施形態における木目込み飾りまりの正面図である。
【図２】本発明の実施形態における接合前の芯材の斜視図である。
【図３】本発明の実施形態における敷物の上に載置された木目込み飾りまりの斜視図である。
【符号の説明】
【００２２】
１…木目込み飾りまり  ２…芯材  ３…溝  ４…布地  ５…糸  ６、７…半球状の部材  ９…敷物
【図１】
2008012886.tif 000003
【図２】
2008012886.tif 000004
【図３】
2008012886.tif 000005